【手続補正書】
【提出日】平成25年2月5日(2013.2.5)
【手続補正１】
【補正対象書類名】明細書
【補正対象項目名】０００７
【補正方法】変更
【補正の内容】
【０００７】
前記課題を解決するため、請求項１記載の発明に係るカメラにあっては、マニュアル操作に応じて第１の撮影パラメータを設定する設定手段と、この設定手段により設定された第１の撮影パラメータに従って被写体を撮影し撮影画像を取得する撮影手段と、前記撮影画像と同一の被写体であって、前記設定手段により設定された第１の撮影パラメータとは異なる第２の撮影パラメータで撮影又は前記撮影画像を画像処理した比較画像を生成する比較画像生成手段と、前記撮影画像と前記比較画像とを表示手段に表示させる画像表示制御手段と、操作に応じて、前記表示手段に表示させた前記撮影画像と前記比較画像のいずれかを選択する画像選択手段と、この画像選択手段により前記比較画像が選択されたことを条件として、所定の処理を実行する処理手段と、を備えることを特徴とする。
【手続補正２】
【補正対象書類名】明細書
【補正対象項目名】０００９
【補正方法】変更
【補正の内容】
【０００９】
また、請求項４記載の発明に係るカメラにあっては、前記処理手段は、前記画像選択手段により前記比較画像が選択されたことを条件として、所定のアドバイスを発生することを特徴とする。
また、請求項５記載の発明に係るカメラにあっては、前記処理手段は、前記アドバイスを前記表示手段に表示させることを特徴とする。
【手続補正３】
【補正対象書類名】明細書
【補正対象項目名】００１０
【補正方法】変更
【補正の内容】
【００１０】
また、請求項３記載の発明に係るカメラにあっては、前記第１の撮影パラメータと前記第２の撮影パラメータは複数種かつ同一種であり、前記第２の撮影パラメータは、少なくとも一部のパラメータの値が前記第１の撮影パラメータとは異なることを特徴とする。
【手続補正４】
【補正対象書類名】明細書
【補正対象項目名】００１１
【補正方法】変更
【補正の内容】
【００１１】
また、請求項６記載の発明に係るカメラにあっては、前記画像選択手段により前記比較画像が選択されたことを条件として、前記第１の撮影パラメータと第２の撮影パラメータとの差を検出する検出手段を備え、前記処理手段は、前記検出手段により検出された撮影パラメータの差に応じたアドバイスを発生することを特徴とする。
【手続補正５】
【補正対象書類名】明細書
【補正対象項目名】００１２
【補正方法】変更
【補正の内容】
【００１２】
また、請求項７記載の発明に係るカメラにあっては、前記アドバイスは、前記検出手段により検出された差が最も大きい撮影パラメータに関して、当該撮影パラメータをどのように修正すべきかを示す教示情報であることを特徴とする。
【手続補正６】
【補正対象書類名】明細書
【補正対象項目名】００１３
【補正方法】変更
【補正の内容】
【００１３】
また、請求項８記載の発明に係るカメラにあっては、前記画像表示制御手段は、前記画像選択手段により選択された比較画像を拡大表示させることを特徴とする。
【手続補正７】
【補正対象書類名】明細書
【補正対象項目名】００１４
【補正方法】変更
【補正の内容】
【００１４】
また、請求項９記載の発明に係るカメラにあっては、複数種の撮影シーンに対応して各々撮影パラメータを記憶した記憶手段と、この記憶手段からいずれかの撮影シーンを選択する撮影シーン選択手段とを備え、前記比較画像生成手段は、前記撮影シーン選択手段により選択された撮影シーンに対応する撮影パラメータを前記第２の撮影パラメータとして、前記撮影画像と同一の被写体を再撮影し、前記比較画像を生成することを特徴とする。
【手続補正８】
【補正対象書類名】明細書
【補正対象項目名】００１５
【補正方法】変更
【補正の内容】
【００１５】
また、請求項１０記載の発明に係るカメラにあっては、複数種の撮影シーンに対応して各々撮影パラメータを記憶した記憶手段と、前記撮影手段により取得された撮影画像が前記記憶手段に記憶されているいずれの撮影シーンであるかを判定する判定手段とを備え、前記比較画像生成手段は、前記判定手段により判定された撮影シーンに対応する撮影パラメータを前記第２の撮影パラメータとして、前記撮影画像を画像処理し、前記比較画像を生成することを特徴とする。
【手続補正９】
【補正対象書類名】明細書
【補正対象項目名】００１６
【補正方法】変更
【補正の内容】
【００１６】
また、請求項１１記載の発明に係るカメラにあっては、前記比較画像生成手段は、前記第１の撮影パラメータと前記第２の撮影パラメータとの差を埋めるような補正処理を前記撮影画像に施すことで前記比較画像を生成することを特徴とする。
【手続補正１０】
【補正対象書類名】明細書
【補正対象項目名】００１７
【補正方法】変更
【補正の内容】
【００１７】
また、請求項１２記載の発明に係るカメラにあっては、前記処理手段は、前記検出手段により差が検出された撮影パラメータが複数の種類である場合、当該複数の種類の撮影パラメータ全てに関してアドバイスを発生することを特徴とする。
【手続補正１１】
【補正対象書類名】明細書
【補正対象項目名】００１８
【補正方法】変更
【補正の内容】
【００１８】
また、請求項１３記載の発明に係るカメラにあっては、前記比較画像生成手段は、第１の撮影パラメータとは異なり、かつ相互に異なる複数種の第２の撮影パラメータで撮影又は前記撮影画像を画像処理した複数の比較画像を生成し、前記画像表示制御手段は、前記撮影画像と前記複数の比較画像とを表示手段に表示させることを特徴とする。
また、請求項１４記載の発明に係るカメラにあっては、マニュアル操作に応じて第１の撮影パラメータを設定する設定手段と、この設定手段により設定された第１の撮影パラメータに従って被写体を撮影し撮影画像を取得する撮影手段と、前記撮影画像と同一の被写体であって、前記設定手段により設定された第１の撮影パラメータとは異なる第２の撮影パラメータで撮影又は前記撮影画像を画像処理した比較画像を生成する比較画像生成手段と、前記撮影画像と前記比較画像とを表示手段に表示させる画像表示制御手段と、前記第１の撮影パラメータと第２の撮影パラメータとの差を検出する検出手段と、前記検出手段により検出された撮影パラメータの差に応じたアドバイスを発生するアドバイス発生手段と、を備えることを特徴とする。
また、請求項１５記載の発明に係るカメラにあっては、前記アドバイスは、前記検出手段により検出された差が最も大きい撮影パラメータに関して、当該撮影パラメータをどのように修正すべきかを示す教示情報であることを特徴とする。
【手続補正１２】
【補正対象書類名】明細書
【補正対象項目名】００１９
【補正方法】変更
【補正の内容】
【００１９】
また、請求項１６記載の発明に係るカメラ制御プログラムにあっては、撮影手段を備えるカメラが有するコンピュータを、マニュアル操作に応じて第１の撮影パラメータを設定する設定手段と、この設定手段により設定された第１の撮影パラメータに従って、前記撮影手段により被写体を撮影し撮影画像を取得する取得手段と、前記撮影画像と同一の被写体であって、前記設定手段により設定された第１の撮影パラメータとは異なる第２の撮影パラメータで撮影又は前記撮影画像を画像処理した比較画像を生成する比較画像生成手段と、前記撮影画像と前記比較画像とを表示手段に表示させる画像表示制御手段と、操作に応じて、前記表示手段に表示させた前記撮影画像と前記比較画像のいずれかを選択する画像選択手段と、この画像選択手段により前記比較画像が選択されたことを条件として、所定の処理を実行する処理手段と、して機能させることを特徴とする。
【手続補正１３】
【補正対象書類名】明細書
【補正対象項目名】００２０
【補正方法】変更
【補正の内容】
【００２０】
また、請求項１７記載の発明に係る撮影教示方法にあっては、マニュアル操作に応じて第１の撮影パラメータを設定する設定ステップと、この設定ステップにより設定された第１の撮影パラメータに従って被写体を撮影し撮影画像を取得する撮影ステップと、前記撮影画像と同一の被写体であって、前記設定ステップにより設定された第１の撮影パラメータとは異なる第２の撮影パラメータで撮影又は前記撮影画像を画像処理した比較画像を生成する比較画像生成ステップと、前記撮影画像と前記比較画像とを表示手段に表示させる画像表示制御ステップと、操作に応じて、前記表示手段に表示させた前記撮影画像と前記比較画像のいずれかを選択する画像選択ステップと、この画像選択ステップにより前記比較画像が選択されたことを条件として、所定の処理を実行する処理ステップと、を含むことを特徴とする。
また、請求項１８記載の発明に係るカメラ制御プログラムにあっては、撮影手段を備えるカメラが有するコンピュータを、マニュアル操作に応じて第１の撮影パラメータを設定する設定手段と、この設定手段により設定された第１の撮影パラメータに従って、前記撮影手段により被写体を撮影し撮影画像を取得する取得手段と、前記撮影画像と同一の被写体であって、前記設定手段により設定された第１の撮影パラメータとは異なる第２の撮影パラメータで撮影又は前記撮影画像を画像処理した比較画像を生成する比較画像生成手段と、前記撮影画像と前記比較画像とを表示手段に表示させる画像表示制御手段と、前記第１の撮影パラメータと第２の撮影パラメータとの差を検出する検出手段と、前記検出手段により検出された撮影パラメータの差に応じたアドバイスを発生するアドバイス発生手段と、して機能させることを特徴とする。
また、請求項１９記載の発明に係る撮影教示方法にあっては、マニュアル操作に応じて第１の撮影パラメータを設定する設定ステップと、この設定ステップにより設定された第１の撮影パラメータに従って被写体を撮影し撮影画像を取得する撮影ステップと、前記撮影画像と同一の被写体であって、前記設定ステップにより設定された第１の撮影パラメータとは異なる第２の撮影パラメータで撮影又は前記撮影画像を画像処理した比較画像を生成する比較画像生成ステップと、前記撮影画像と前記比較画像とを表示手段に表示させる画像表示制御ステップと、前記第１の撮影パラメータと第２の撮影パラメータとの差を検出する検出ステップと、前記検出ステップにより検出された撮影パラメータの差に応じたアドバイスを発生するアドバイス発生ステップと、を含むことを特徴とする。
【手続補正１４】
【補正対象書類名】明細書
【補正対象項目名】００２１
【補正方法】変更
【補正の内容】
【００２１】
本発明によれば、ユーザは撮影時に、マニュアル操作により設定された撮影パラメータによる撮影画像と、他の撮影パラメータによる撮影画像とを比較可能に表示したアドバイスを得ることができる。
【手続補正１５】
【補正対象書類名】特許請求の範囲
【補正対象項目名】全文
【補正方法】変更
【補正の内容】
【特許請求の範囲】
【請求項１】
マニュアル操作に応じて第１の撮影パラメータを設定する設定手段と、
この設定手段により設定された第１の撮影パラメータに従って被写体を撮影し撮影画像を取得する撮影手段と、
前記撮影画像と同一の被写体であって、前記設定手段により設定された第１の撮影パラメータとは異なる第２の撮影パラメータで撮影又は前記撮影画像を画像処理した比較画像を生成する比較画像生成手段と、
前記撮影画像と前記比較画像とを表示手段に表示させる画像表示制御手段と、
操作に応じて、前記表示手段に表示させた前記撮影画像と前記比較画像のいずれかを選択する画像選択手段と、
この画像選択手段により前記比較画像が選択されたことを条件として、所定の処理を実行する処理手段と、
を備えることを特徴とするカメラ。
【請求項２】
前記第２の撮影パラメータは、前記マニュアル操作に応じて設定されるのではなく、カメラが自動的に設定した撮影パラメータであることを特徴とする請求項１記載のカメラ。
【請求項３】
前記第１の撮影パラメータと前記第２の撮影パラメータは複数種かつ同一種であり、
前記第２の撮影パラメータは、少なくとも一部のパラメータの値が前記第１の撮影パラメータとは異なることを特徴とする請求項１または２に記載のカメラ。
【請求項４】
前記処理手段は、前記画像選択手段により前記比較画像が選択されたことを条件として、所定のアドバイスを発生することを特徴とする請求項１から３のいずれかに記載のカメラ。
【請求項５】
前記処理手段は、前記アドバイスを前記表示手段に表示させることを特徴とする請求項４記載のカメラ。
【請求項６】
前記画像選択手段により前記比較画像が選択されたことを条件として、前記第１の撮影パラメータと第２の撮影パラメータとの差を検出する検出手段を備え、
前記処理手段は、前記検出手段により検出された撮影パラメータの差に応じたアドバイスを発生することを特徴とする請求項４または５に記載のカメラ。
【請求項７】
前記アドバイスは、前記検出手段により検出された差が最も大きい撮影パラメータに関して、当該撮影パラメータをどのように修正すべきかを示す教示情報であることを特徴とする請求項６記載のカメラ。
【請求項８】
前記画像表示制御手段は、前記画像選択手段により選択された比較画像を拡大表示させることを特徴とする請求項１から７のいずれかに記載のカメラ。
【請求項９】
複数種の撮影シーンに対応して各々撮影パラメータを記憶した記憶手段と、
この記憶手段からいずれかの撮影シーンを選択する撮影シーン選択手段とを備え、
前記比較画像生成手段は、前記撮影シーン選択手段により選択された撮影シーンに対応する撮影パラメータを前記第２の撮影パラメータとして、前記撮影画像と同一の被写体を再撮影し、前記比較画像を生成することを特徴とする請求項１から８のいずれかに記載のカメラ。
【請求項１０】
複数種の撮影シーンに対応して各々撮影パラメータを記憶した記憶手段と、
前記撮影手段により取得された撮影画像が前記記憶手段に記憶されているいずれの撮影シーンであるかを判定する判定手段とを備え、
前記比較画像生成手段は、前記判定手段により判定された撮影シーンに対応する撮影パラメータを前記第２の撮影パラメータとして、前記撮影画像を画像処理し、前記比較画像を生成することを特徴とする請求項１から９のいずれかに記載のカメラ。
【請求項１１】
前記比較画像生成手段は、前記第１の撮影パラメータと前記第２の撮影パラメータとの差を埋めるような補正処理を前記撮影画像に施すことで前記比較画像を生成することを特徴とする請求項１０記載のカメラ。
【請求項１２】
前記処理手段は、前記検出手段により差が検出された撮影パラメータが複数の種類である場合、当該複数の種類の撮影パラメータ全てに関してアドバイスを発生することを特徴とする請求項４または５に記載のカメラ。
【請求項１３】
前記比較画像生成手段は、第１の撮影パラメータとは異なり、かつ相互に異なる複数種の第２の撮影パラメータで撮影又は前記撮影画像を画像処理した複数の比較画像を生成し、
前記画像表示制御手段は、前記撮影画像と前記複数の比較画像とを表示手段に表示させることを特徴とする請求項１から１２のいずれかに記載のカメラ。
【請求項１４】
マニュアル操作に応じて第１の撮影パラメータを設定する設定手段と、
この設定手段により設定された第１の撮影パラメータに従って被写体を撮影し撮影画像を取得する撮影手段と、
前記撮影画像と同一の被写体であって、前記設定手段により設定された第１の撮影パラメータとは異なる第２の撮影パラメータで撮影又は前記撮影画像を画像処理した比較画像を生成する比較画像生成手段と、
前記撮影画像と前記比較画像とを表示手段に表示させる画像表示制御手段と、
前記第１の撮影パラメータと第２の撮影パラメータとの差を検出する検出手段と、
前記検出手段により検出された撮影パラメータの差に応じたアドバイスを発生するアドバイス発生手段と、
を備えることを特徴とするカメラ。
【請求項１５】
前記アドバイスは、前記検出手段により検出された差が最も大きい撮影パラメータに関して、当該撮影パラメータをどのように修正すべきかを示す教示情報であることを特徴とする請求項１４記載のカメラ。
【請求項１６】
撮影手段を備えるカメラが有するコンピュータを、
マニュアル操作に応じて第１の撮影パラメータを設定する設定手段と、
この設定手段により設定された第１の撮影パラメータに従って、前記撮影手段により被写体を撮影し撮影画像を取得する取得手段と、
前記撮影画像と同一の被写体であって、前記設定手段により設定された第１の撮影パラメータとは異なる第２の撮影パラメータで撮影又は前記撮影画像を画像処理した比較画像を生成する比較画像生成手段と、
前記撮影画像と前記比較画像とを表示手段に表示させる画像表示制御手段と、
操作に応じて、前記表示手段に表示させた前記撮影画像と前記比較画像のいずれかを選択する画像選択手段と、
この画像選択手段により前記比較画像が選択されたことを条件として、所定の処理を実行する処理手段と、
して機能させることを特徴とするカメラ制御プログラム。
【請求項１７】
マニュアル操作に応じて第１の撮影パラメータを設定する設定ステップと、
この設定ステップにより設定された第１の撮影パラメータに従って被写体を撮影し撮影画像を取得する撮影ステップと、
前記撮影画像と同一の被写体であって、前記設定ステップにより設定された第１の撮影パラメータとは異なる第２の撮影パラメータで撮影又は前記撮影画像を画像処理した比較画像を生成する比較画像生成ステップと、
前記撮影画像と前記比較画像とを表示手段に表示させる画像表示制御ステップと、
操作に応じて、前記表示手段に表示させた前記撮影画像と前記比較画像のいずれかを選択する画像選択ステップと、
この画像選択ステップにより前記比較画像が選択されたことを条件として、所定の処理を実行する処理ステップと、
を含むことを特徴とする撮影教示方法。
【請求項１８】
撮影手段を備えるカメラが有するコンピュータを、
マニュアル操作に応じて第１の撮影パラメータを設定する設定手段と、
この設定手段により設定された第１の撮影パラメータに従って、前記撮影手段により被写体を撮影し撮影画像を取得する取得手段と、
前記撮影画像と同一の被写体であって、前記設定手段により設定された第１の撮影パラメータとは異なる第２の撮影パラメータで撮影又は前記撮影画像を画像処理した比較画像を生成する比較画像生成手段と、
前記撮影画像と前記比較画像とを表示手段に表示させる画像表示制御手段と、
前記第１の撮影パラメータと第２の撮影パラメータとの差を検出する検出手段と、
前記検出手段により検出された撮影パラメータの差に応じたアドバイスを発生するアドバイス発生手段と、
して機能させることを特徴とするカメラ制御プログラム。
【請求項１９】
マニュアル操作に応じて第１の撮影パラメータを設定する設定ステップと、
この設定ステップにより設定された第１の撮影パラメータに従って被写体を撮影し撮影画像を取得する撮影ステップと、
前記撮影画像と同一の被写体であって、前記設定ステップにより設定された第１の撮影パラメータとは異なる第２の撮影パラメータで撮影又は前記撮影画像を画像処理した比較画像を生成する比較画像生成ステップと、
前記撮影画像と前記比較画像とを表示手段に表示させる画像表示制御ステップと、
前記第１の撮影パラメータと第２の撮影パラメータとの差を検出する検出ステップと、
前記検出ステップにより検出された撮影パラメータの差に応じたアドバイスを発生するアドバイス発生ステップと、
を含むことを特徴とする撮影教示方法。